(57)【要約】【課題】農用チョッパーにおいて、木片Ｍが案内壁Ｇと破砕機構３のフリーハンマー状の破砕刃３３の基端側との間に、ブリッジ状に噛み込むことで生ずる破砕機構３の回転作動のストップが起きないようにする。【解決手段】送込室４の入口部の左右の端部に、平面視において、送込室４の左右の機壁４ａ・４ａの内面から送込室４の左右の中心に向け斜め後方に傾斜して突出するガイド壁Ｇを設ける農用チョッパーにおいて、送込室４の入口部の左右の端部でガイド壁Ｇの後面側に、外面側を、平面視においてガイド壁Ｇの壁面ｇと対称するように後方に向かうに従い送込室４左右の機壁４ａ・４ａに寄るよう傾斜する傾斜面ｓとしたせり出し部材Ｓを、その傾斜面ｓに当接してくる木片Ｍの基端側により受ける前方に向かう力ｗから送込室４の左右の中央に向かう方向の分力ｙを生ぜしめる傾斜角度に設定して装設する。【選択図】        図４
2004261704.tif 000002
【特許請求の範囲】
【請求項１】
機枠１に装設した破砕室２内に、破砕刃３３をフリーハンマー状に組付けた破砕機構３を装架し、その破砕室２の前面側に装設した送込室４内に、翼車状の送込機構５を装架し、その送込室４の入口部の前面に供給樋６を接続させて設け、送込室４の入口部の左右の端部に、側面視において送込室４の床板４０から略垂直に立上がり、平面視において、送込室４の左右の機壁４ａ・４ａの内面から送込室４の左右の中心に向け斜め後方に傾斜して突出するガイド壁Ｇを設ける農用チョッパーにおいて、送込室４の入口部の左右の端部でガイド壁Ｇの後面側に、外面側を、平面視においてガイド壁Ｇの壁面ｇと対称するように後方に向かうに従い送込室４左右の機壁４ａ・４ａに寄るよう傾斜する傾斜面ｓとしたせり出し部材Ｓを、ガイド壁Ｇに並列させて装設し、そのせり出し部材Ｓの傾斜面ｓの傾斜角度を、そのせり出し部材Ｓに当接してくる木片Ｍの基端側により受ける前方に向かう力ｗから、送込室４の左右の中央に向かう方向の分力ｙを生ぜしめる傾斜角度に設定しておくことを特徴とする農用チョッパー。
【請求項２】
せり出し部材Ｓを、鉄板の折曲げ成形により平面視において三角筒状に形成して、ガイド壁Ｇの後面側に送込室４の床板４０から直立するよう装設することを特徴とする請求項１記載の農用チョッパー。
【請求項３】
せり出し部材Ｓを、ガイド壁Ｇと連続する鉄板の折曲げ成形により、ガイド壁Ｇの後縁側に一体に連続する形状に形成して、ガイド壁Ｇと共に送込室４の入口部の端部に装設することを特徴とする請求項１記載の農用チョッパー。
【発明の詳細な説明】
【０００１】
【発明が属する技術分野】
本発明は、主として、果樹等の樹木の整枝のために枝おろした枝等の木材を細片に破砕処理するようにするように用いる農用チョッパーに関する。
【０００２】
さらに具体的にいえば、機枠に装設した破砕室内に、破砕刃をフリーハンマー状に組み付けた破砕機構を収蔵し、その破砕室の前面側に装設した送込室内に、翼車状の送込機構を収蔵せしめ、その送込室の前面側に供給樋を接続させて設け、供給樋から供給する木材を、送込室内の翼車状の送込機構で順次破砕室に送り込み、これを、破砕室内で回転する破砕機構のフリーハンマー状の破砕刃で破砕処理するよう構成してある形態の農用チョッパーについての改良に関する。
【０００３】
【従来の技術】
上述の農用チョッパーは、通常、図１および図２にあるように、まず、クローラにより走行する車体に装架するか、トラクタの機体に三点リンクヒッチを介して装架するか、所望の場所に設置する台枠状のベースａ上に装架する機筺状の機枠１を形成し、この機枠１内の上半側で後方（図において右方）に寄る部位に、破砕室２を装設して、破砕機構３を装架収蔵せしめ、その破砕室２の前方の、機枠１内の上半側で前方に寄る部位には送込室４を装設して、送込機構５を装架収蔵せしめ、その送込室４の前方の機枠１の前面の上部に供給樋６を接続して設け、その供給樋６から供給する木材が、送込室４を経て破砕室２に送り込まれ、破砕室２内の破砕機構３で破砕されて、その破砕片が、破砕室２の底壁を形成している篩網２０を経て機枠１の外に排出されるように構成されている。
【０００４】
そして、破砕室２内に収蔵する破砕機構３は、破砕室２を左右に横切る主軸３０を機枠１に軸支して、これに、盤状に形成したホイル３１…を複数枚、主軸３０の軸方向に適宜の間隔をおいて並列支架し、これらホイル３１…の周縁部の、周方向に等配した複数の部位に、破砕刃取付用の取付軸３２…を、それぞれ主軸３０と平行させて渡架するように組み付け支架し、かつ、それぞれの取付軸３２に、破砕刃３３を、それの基端側をもって取付軸３２に対し回動自在に軸支して、この破砕刃３３がホイル３１の回転により主軸３０の遠心方向に振り出されて、破砕室２内に送り込まれてくる破砕物に対しフリーハンマー状に作用していくように構成してあり、これにより、主軸３０を、それに設けた伝導輪３４を前記ベースａに組み付け支架したエンジンＥの出力軸に設けた伝導輪３５または、ベースａに組付けた伝導機構の伝導輪から導く回転動力により駆動することで、図１において二重線の矢印に示す方向にホイル３１を回転させ、取付軸３２に組み付け支架した破砕刃３３…が、被破砕物に対しフリーハンマー状に作用して破砕するように構成している。
【０００５】
また、送込室４内に装設する送込機構５は、送込室４内における床板４０より少し上方部位に、該送込室４を左右に横切る回転軸５０を主軸３０と平行させて配位し、それの左右の軸端部を、送込室４の左右の機壁４ａ・４ａに設けたガイド穴５１を貫通させて機枠１の外面側に突出させ、それら軸端部を、前記主軸３０に基端部を軸支して先端側が自在に昇降回動するように機枠１の左右の外面側にそれぞれ装設した左右に一対の回動アーム５２・５２の各回動端部に軸支して、この回動アーム５２の上下の回動で回転軸５０が昇降するようにし、その回転軸５０の左右の軸端部を貫通させたガイド穴５１は、主軸３０中心とする仮想円弧に沿う所定長さの上下の長穴に形成して、回動アーム５２の回動範囲を所定の範囲に規制し、かつ、回動アーム５２・５２は、機枠１との間に、下降側に回動させるよう付勢するバネ５３を設けて、常態において回転軸５０がガイド穴５１の下端側に位置するようにする。
【０００６】
そして、回転軸５０には、側面視において、図１にあるように、回転軸５０の周面から放射方向に突出する送込板５４…を、図２にあるように、回転軸５０の軸方向に沿う翼板状に形成して装設して、これにより回転軸５０により回転する翼車状に構成し、かつ、回転軸５０の一方の軸端部には伝導輪５５を設けておいて、これを主軸３０に設けた伝導輪５６に伝導機構５７を介し伝導しておいて、主軸３０が駆動されたときに、この回転軸５０が同時に駆動されて図１において矢印方向に回転し、これにより、供給樋６側から供給されてくる被破砕物を、バネ５３の付勢に抗して上下に回動する回動アーム５２の作動によって、上方から押さえ付けた状態として、回転する送込板５４により破砕室２側に掻き送るように構成している。
【０００７】
そしてまた、このように構成する送込機構５の前面側には、送込室４の入口部の左右の端部に、図１にあるように側面視において送込室４の床板４０から略垂直に立上がり、平面視において、図２にあるように送込室４の左右の機壁４ａ・４ａの内面から、送込室４の左右の中心側に向け、斜め後方に傾斜して突出する案内壁Ｇ・Ｇを設けておいて、供給樋６側から供給される被破砕材料を、翼車状に回転する送込機構５の左右の中心部に誘導するようにして、被破砕材料のうちの細い材料が、翼車状に回転する送込板５４の左右の端面と送込室４の左右の機壁４ａ・４ａの内面との間に入り込んで巻き付くようになるのを防止する構成としている。
【０００８】
【発明が解決しようとする課題】
上述の如く構成してある農用チョッパーは、作業中に、木材が、供給樋６側から供給されて送込機構５で破砕室２に送り込まれ、破砕機構３により破砕されるときに生ずる短い木片が、回転する破砕機構３に噛み込んで、破砕機構３の回転をストップさせ、駆動するエンジンＥを停止させる事態を起こすことがある。
【０００９】
これは、破砕作業中に供給する木材から生成される短い木片は、通常、破砕室２の底壁を形成する篩網２０と回転する破砕機構３との間に入って、ここで、繰り返しフリーハンマー状の破砕刃３３の破砕を受けることで細片に破砕処理されていくようになるが、その木片Ｍの長さが、図１および図２にあるように、丁度、案内壁Ｇから破砕機構３のホイル３１の周縁部に至る程度の長さで、かつ、その木片Ｍが送込室４の左右方向の端部に寄せられて、長手方向を前後方向とした状態となったときにおいて、しかも、取付軸３２に軸支してあるフリーハンマー状の破砕刃３３の姿勢が偶々、基端側を外側に向けた逆転した姿勢となって、木片Ｍに衝突してきたときに生ずる現象である。
【００１０】
このように、種々の条件が重なることで偶発的に生ずる木片Ｍの詰まりは、エンジンを停止させて作業を中断させるようになることで、作業能率を損なうことから、大きな問題となる。
【００１１】
本発明は、この問題を解決するためになされたものであって、木片Ｍが案内壁Ｇと破砕機構３のフリーハンマー状の破砕刃３３の基端側との間に、ブリッジ状に噛み込むことで生ずる破砕機構３の回転作動のストップが起きないようにすることを目的とする。
【００１２】
【課題を解決するための手段】
そして、本発明は、上述の目的を達成するための手段として、請求項１に記載したように、機枠１に装設した破砕室２内に、破砕刃３３をフリーハンマー状に組付けた破砕機構３を装架し、その破砕室２の前面側に装設した送込室４内に、翼車状の送込機構５を装架し、その送込室４の入口部の前面に供給樋６を接続させて設け、送込室４の入口部の左右の端部に、側面視において送込室４の床板４０から略垂直に立上がり、平面視において、送込室４の左右の機壁４ａ・４ａの内面から送込室４の左右の中心に向け斜め後方に傾斜して突出するガイド壁Ｇを設ける農用チョッパーにおいて、送込室４の入口部の左右の端部でガイド壁Ｇの後面側に、外面側を、平面視においてガイド壁Ｇの壁面ｇと対称するように後方に向かうに従い送込室４左右の機壁４ａ・４ａに寄るよう傾斜する傾斜面ｓとしたせり出し部材Ｓを、ガイド壁Ｇに並列させて、装設し、そのせり出し部材Ｓの傾斜面ｓの傾斜角度を、そのせり出し部材Ｓに当接してくる木片Ｍの基端側により受ける前方に向かう力ｗから、送込室４の左右の中央に向かう方向の分力ｙを生ぜしめる傾斜角度に設定しておくことを特徴とする農用チョッパーを提起し、また、これに併せて、せり出し部材Ｓを、鉄板の折曲げ成形により平面視において三角筒状に形成して、ガイド壁Ｇの後面側に送込室４の床板４０から直立するよう装設する手段、およびせり出し部材Ｓを、ガイド壁Ｇと連続する鉄板の折曲げ成形により、ガイド壁Ｇの後縁側に一体に連続する形状に形成して、ガイド壁Ｇと共に送込室４の入口部の端部に装設する手段を提起するものである。
【００１３】
【発明の実施の形態】
次に本発明の実施の態様を、図面に随い、実施例について具体的に説明する。図３および図４は、本発明手段を実施せる農用チョッパーＡの縦断した側面図および横断した平面図を示している。
【００１４】
同図において、ａはベース、１はこのベースａ上に組み付けた機枠、２はこの機枠１の内部の上半側で、後部側（図において右側）に寄せた部位に装架せる破砕室、３はこの破砕室２内に収蔵せしめて装架せる破砕機構、４は破砕室２の前面側に配して機枠１内に装設せる送込室、５はその送込室４内に収蔵せしめて装架せる送込機構、６はその送込室４の受入口の前面側に接続させて機枠１の上部の前面側に設けた供給樋であり、これらは、図１および図２に示した従前の農用チョッパーと変わりなく構成してよい。
【００１５】
破砕室２内に収蔵して装架する破砕機構３は、機枠１に横架軸支した主軸に、盤状のホイル３１…を複数枚並列させて装着し、それらホイル３１…の周縁部の周方向に等配した部位に、主軸３０と平行する取付軸３２…を設け、それら取付軸３２に、破砕刃３３を、それの基端側を回動自在に軸支してフリーハンマー状に組み付けて構成し、主軸３０に設けた伝導輪３４を、例えば、ベースａに組み付け装架せるエンジンＥの出力軸に設けた伝導輪３５と伝導して駆動するなどで、主軸３０を駆動回転させることにより、図３において二重線の矢印方向に回転して破砕作用を行うこと従前の農用チョッパーの破砕機構３と同様に構成してある。
【００１６】
送込室４内に収蔵せしめて装架する送込機構５も、送込室４を左右に横切る回転軸５０と、機枠１の左右の機壁４ａ・４ａの外側にそれぞれ配設されて、基端側を主軸３０に回動自在に支架され、先端側で前記回転軸５０の左右の軸端部を軸支する左右に一対の回動アーム５２・５２と、その回動アーム５２・５２の回動により回転軸５０が昇降する範囲を規制するよう機枠１の左右の機壁４ａ・４ａに開設した上下の長穴状のガイド穴５１と、その回動アーム５２を下降側に付勢するバネ５３と、回転軸５０の周面に設ける翼板状の送込板５４と、回転軸５０を、それに設けた伝導輪５５を主軸３０に設けた伝導輪５６に減速させて伝導する伝導機構５７を介し主軸３０に伝導することで、主軸３０が駆動されることにより図３において矢印方向に減速されて回転するようになっている従前のものと変わりなく構成してある。
【００１７】
そして、これにより、主軸３０を駆動する状態において、供給樋６から破砕すべき木材を供給すると、その木材が送込機構５により破砕室２に送り込まれ、破砕機構３により順次破砕されていくようになり、その破砕片が、破砕室２の底壁の篩網２０を経て、細片となって落下し、機枠１の後面側に開放している排出口１０から外部に取り出されるようにしてあることについては、従前の農用チョッパーと変わりなく構成してある。
【００１８】
しかして、この農用チョッパーＡには、供給樋６の基端と接続する送込室４の入口部の、左右の側端部に、供給樋６側から供給する被破砕材料を、翼車状の送込機構５の左右の中央部に向け誘導するよう、送込室４の左右の機壁４ａ・４ａの内面から、送込室４の左右の中央部に向け突出するガイド壁Ｇを、平面視において、後方に向かうに従い中央に寄るように傾斜させて装設するが、このガイド壁Ｇの後面側には、外面側を平面視においてガイド壁Ｇの壁面ｇと対称するように、後方に向うに従い送込室４の左右の機壁４ａ・４ａに寄るように傾斜する傾斜面ｓとしたせり出し部材Ｓを装設する。
【００１９】
このせり出し部材Ｓは、破砕作業中に生成していくる木片Ｍが、前述の図１および図２にあるように、ガイド壁Ｇと破砕機構３のホイル３１の外周縁部との間に丁度嵌入する長さに生成されて、ガイド壁Ｇの後面側に入り込んできて、その状態で先端側が破砕機構３により送込室４の入口部側に向け押し返されるようになったときに、図５にあるように、木片Ｍが、破砕機構３により矢印で示す前方に押し出される力ｗを受けて、前方に押し返されることで、その木片Ｍを介しせり出し部材Ｓに作用してくる前記前方に向かう力ｗに対し、その力ｗから送込室４の中央に向かう方向の分力ｙを生ぜしめ、この方向の分力ｙにより、せり出し部材Ｓに当接してくる木片Ｍの基端側を、送込室４の中央に寄る側にせり出すようにはじき出させるためのものであり、当接してくる木片Ｍの基端側により受ける前方に向かう力ｗをこの方向の分力ｙに変換させる傾斜角度の傾斜面に形成しておく。
【００２０】
そして、このようにガイド壁Ｇの後面側に設けるせり出し部材Ｓは、それの前縁側を、なるべくはガイド壁Ｇの後縁と連続させる。
【００２１】
この場合、せり出し部材Ｓは、図６にあるように、ガイド壁Ｇを、鉄板の折曲げ成形により、平面視において送込室４の左右の機壁４ａの内面に接当する面が底辺となる二等辺三角形状をなす三角筒状に形成して、送込室４の床板４０上に立設することで、ガイド壁Ｇの後面側に、平面視でそのガイド壁Ｇと対称してそのガイド壁Ｇと逆向きに傾斜する傾斜面が連続して存在するようにして、この逆向きの傾斜面をもってせり出し部材Ｓとするようにしてよい。
【００２２】
また、このせり出し部材Ｓは、ガイド壁Ｇとは別に、鉄板の折曲げ成形により、図７にあるように、平面視において、送込室４の左右の機壁４ａに対面する側が底辺となる直角三角形状の筒状に形成して、ガイド壁Ｇの後面側に配し、送込室４の床板４０上に立設するようにしてよい。
【００２３】
このように、送込室４の入口部の左右の側端部に装設されるガイド壁Ｇの後面側に、そこに向け押し返されてくる木片Ｍが突き当たることで作用する前方に向かう力ｗを送込室４の入口部の巾方向の中央に向かう分力ｙに変換させる傾斜面を具備するせり出し部材Ｓを設けた農用チョッパーＡは、作業中に偶発的に生ずる長さの木片Ｍが、ガイド壁Ｇの後面側に回り込んで、その木片Ｍの基端側がガイド壁Ｇに突き当たるようになったとき、その突き当たってくる木片Ｍの基端側を、せり出し部材Ｓが送込室４の入口部の巾方向の中央に向け、はじき出すようにするので、木片Ｍがガイド壁Ｇと破砕機構３との間に挟まり込んで、破砕機構３の回転をロックするようになるのを効果的に防止し得るようになる。
【００２４】
【発明の効果】
以上説明したように、本発明手段によれば、作業中に生じた短い木片Ｍが、ガイド壁Ｇの後ろ側に回り込んで破砕機構３との間にブリッジ状に挟まり込むようになったときに、その木片Ｍの基端側を、せり出し部材Ｓが送込室の巾方向の中央に向けて、はじき出すようにするので、木片Ｍが破砕機構３とガイド壁Ｇとの間に噛み込んで破砕機構３の回転作動をロックし、エンストを起こさせる可能を防止し得るようになる。
【図面の簡単な説明】
【図１】従前の農用チョッパーの縦断側面図である。
【図２】同上の横断平面図である。
【図３】本発明手段を実施せる農用チョッパーの縦断側面図である。
【図４】同上の横断平面図である。
【図５】同上の要部の横断平面図である。
【図６】同上の要部の別の実施例の横断平面図である。
【図７】同上のさらに別の実施例の要部の横断平面図である。
【符号の説明】
Ａ…農用チョッパー、ａ…ベース、Ｅ…エンジン、Ｇ…ガイド壁、ｇ…壁面、Ｍ…木片、Ｓ…せり出し部材、ｓ…傾斜面、ｗ…前方に向かう力、ｙ…分力、１…機枠、１０…排出口、２…破砕室、２０…篩網、３…破砕機構、３０…主軸、３１…ホイル、３２…取付軸、３３…破砕刃、３４・３５…伝導輪、４…送込室、４０…床板、４ａ…機壁、５…送込機構、５０…回転軸、５１…ガイド穴、５２…回動アーム、５３…バネ、５４…送込板、５５・５６…伝導輪、５７…伝導機構、６…供給樋
【図１】
2004261704.tif 000003
【図２】
2004261704.tif 000004
【図３】
2004261704.tif 000005
【図４】
2004261704.tif 000006
【図５】
2004261704.tif 000007
【図６】
2004261704.tif 000008
【図７】
2004261704.tif 000009